(57)【要約】【課題】直感的に電子封印されているか否かを一目で判断できる電子式ガスメータを提供する。【解決手段】電子式ガスメータに内蔵されたＣＰＵが、検定後に積算流量の演算で用いられる補正値の書き換えを禁止する電子封印を行う。ＣＰＵは、電子封印前に表示器３に小数点３４及び法定計量単位３５と、小数点３６及び法定計量単位３７と、の双方を表示し、電子封印後は積算流量が４桁表示か５桁表示かを判定し、４桁表示の家庭用であれば小数点３４及び法定計量単位３５を残して小数点３６及び法定計量単位３７を消し、５桁表示の業務用であれば小数点３６及び法定計量単位３７を残して小数点３４及び法定計量単位３５を消す。【選択図】図２
2014074677.tif 000002
【特許請求の範囲】
【請求項１】
ガスの積算流量を演算する流量演算手段と、前記流量演算手段により演算された積算流量が表示される表示手段と、前記流量演算手段による積算流量の演算で用いられる補正値の書き換えを禁止する電子封印を行う電子封印手段と、を備えた電子式ガスメータにおいて、
前記電子封印手段による電子封印前に前記表示手段に封印されていないことを示す印を表示させ、前記電子封印手段による電子封印後に前記表示手段に表示された前記印を消す表示制御手段を
さらに備えたことを特徴とする電子式ガスメータ。
【請求項２】
前記表示制御手段が、前記電子封印手段による電子封印前に前記表示手段に前記積算流量の法定計量単位を複数表示させ、前記電子封印手段による電子封印後に前記表示手段に表示された前記複数の法定計量単位のうち１つのみを残し、その他を消す
ことを特徴とする請求項１に記載の電子式ガスメータ。
【請求項３】
積算流量の表示桁数を記憶する記憶手段をさらに備え、
前記表示制御手段が、前記電子封印手段による電子封印後に前記表示手段に表示された前記複数の法定計量単位のうち前記記憶手段に記憶された表示桁数に対応する位置に表示された１つのみを残し、その他を消す
ことを特徴とする請求項２に記載の電子式ガスメータ。
【発明の詳細な説明】
【技術分野】
【０００１】
本発明は、電子式ガスメータに係り、特に、積算流量の演算で用いられる補正値の書き換えを禁止する電子封印を行う電子式ガスメータに関するものである。
【背景技術】
【０００２】
上記電子式ガスメータには、超音波式や熱式などの流速センサと、マイクロコンピュータと、が内蔵され、マイクロコンピュータが、流速センサにより検出されたガスの流速から積算流量を演算して、演算したガスの積算流量を表示器に表示させている。この電子式ガスメータは、工場においていくつかの工程を経て出荷される。その工程は大きく分けて初期設定工程、器差調整工程、検定・検査工程、出荷前設定工程となっており、各工程を正常に通過しなければ電子式ガスメータは次の工程に移行することができない。
【０００３】
電子式ガスメータは、上記器差調整工程において器差補正が行われ、積算流量の演算に用いられるゼロ点補正値、流量補正値（補正値）が設定される。それぞれの補正値は計量メータとしての計量を構成する最重要ファクタであり、この補正値が変更されると計量に大きなズレが生じるため、電子式ガスメータは全ての工程を経た後、補正値を変更できないように電子的な封印を行っている。電子封印を行う際に、工程において補正値の書き込みの抜けが生じないように出荷前設定工程においてゼロ点補正値、流量補正値が正常に書き込まれていることを確認した上で電子封印を行っている。この電子封印完了をもって出荷可能のサインとなる。しかしながら、現在外観上において電子封印が実施済みか否かを判別できる要素がない。
【０００４】
この問題を解決するために、例えば特許文献１に示すように電子封印前は表示器に積算流量の法定計量単位を表示させず、電子封印後に法定計量単位を表示させるものが提案されている。しかしながら、電子封印前は法定計量単位が表示されていないだけなので、表示器を見ても電子封印前であるか直感的に分かりにくい、という問題があった。
【先行技術文献】
【特許文献】
【０００５】
【特許文献１】特開２００２−１９５８６５号公報
【発明の概要】
【発明が解決しようとする課題】
【０００６】
そこで、本発明は、直感的に電子封印されているか否かを一目で判断できる電子式ガスメータを提供することを課題とする。
【課題を解決するための手段】
【０００７】
上述した課題を解決するための請求項１記載の発明は、ガスの積算流量を演算する流量演算手段と、前記流量演算手段により演算された積算流量が表示される表示手段と、前記流量演算手段による積算流量の演算で用いられる補正値の書き換えを禁止する電子封印を行う電子封印手段と、を備えた電子式ガスメータにおいて、前記電子封印手段による電子封印前に前記表示手段に封印されていないことを示す印を表示させ、前記電子封印手段による電子封印後に前記表示手段に表示された前記印を消す表示制御手段をさらに備えたことを特徴とする電子式ガスメータに存する。
【０００８】
請求項２記載の発明は、前記表示制御手段が、前記電子封印手段による電子封印前に前記表示手段に前記積算流量の法定計量単位を複数表示させ、前記電子封印手段による電子封印後に前記表示手段に表示された前記複数の法定計量単位のうち１つのみを残し、その他を消すことを特徴とする請求項１に記載の電子式ガスメータに存する。
【０００９】
請求項３記載の発明は、積算流量の表示桁数を記憶する記憶手段をさらに備え、前記表示制御手段が、前記電子封印手段による電子封印後に前記表示手段に表示された前記複数の法定計量単位のうち前記記憶手段に記憶された表示桁数に対応する位置に表示された１つのみを残し、その他を消すことを特徴とする請求項２に記載の電子式ガスメータに存する。
【発明の効果】
【００１０】
以上説明したように請求項１記載の発明によれば、封印前は印が表示されているため、直感的に電子封印されていないことが一目で判断できる。
【００１１】
請求項２記載の発明によれば、封印前は複数の法定計量単位が表示されているため、直感的に電子封印されていないことが一目で判断できる。
【００１２】
請求項３記載の発明によれば、表示桁数を変更できるガスメータを流用して、直感的に電子封印されていないことが一目で判断できる。
【図面の簡単な説明】
【００１３】
【図１】本発明の電子式ガスメータの一実施形態を示すブロック図である。
【図２】（Ａ）は電子封印前における電子式ガスメータを構成する表示器の表示例を示し、（Ｂ）は電子封印後における家庭用の電子式ガスメータを構成する表示器の表示例を示し、（Ｃ）は電子封印後における業務用の電子式ガスメータを構成する表示器の表示例を示す。
【図３】図１に示すＣＰＵの処理手順を示すフローチャートである。
【発明を実施するための形態】
【００１４】
以下、本発明の電子式ガスメータについて図１を参照して説明する。同図に示すように、電子式ガスメータ１は、配管に流れるガスの流速を検出する流速センサ２と、ガスの積算流量などを表示する表示手段としての表示器３と、外部との通信を行うための通信部４と、不揮発性のメモリである記憶手段としてのＥＥＰＲＯＭ５と、電子式ガスメータ１全体の制御を司るマイクロコンピュータ（以下μＣＯＭ）６と、を備えている。
【００１５】
上記流速センサ２は、例えば超音波式や熱式などの周知のものが用いられ、μＣＯＭ６が出力するサンプリング信号に応じて駆動して、その検出結果をμＣＯＭ６に供給する。表示器３は、液晶表示器などが用いられ、図２（Ａ）に示すように、５桁の大数字セグメント部３１と、１桁の中数字セグメント部３２と、１桁の小数字セグメント部３３と、が右から順に並べて表示できるようになっている。各数字セグメント部３１〜３３は各々、７セグメントから構成され、１から９までの数字をセグメント表示できるようになっている。
【００１６】
また、表示器３は、４桁目の大数字セグメント部３１の右下に設けられた小数点３４及び右上に設けられた法定計量単位３５（請求項中の印に相当）と、５桁目の大数字セグメント部３１の右下に設けられた小数点３６及び右上に設けられた法定計量単位３７（請求項中の印に相当）と、がセグメント表示できるようになっている。以上の表示器３によれば、図２（Ｂ）に示すように４桁表示の家庭用電子式ガスメータ１と、図２（Ｃ）に示すように５桁表示の業務用電子式ガスメータ１とで兼用することができる。
【００１７】
通信部４は、工場設備（例えばパソコン）と通信を行うためのインタフェースであり、工場設備からの電文を受信する。ＥＥＰＲＯＭ５は、積算流量の演算に用いられる補正値（例えばゼロ点補正値や流量補正値）や、積算流量の表示桁数などが記憶されている。なお、積算流量の表示桁数としては、家庭用の電子式ガスメータ１には４桁が記憶され、業務用の電子式ガスメータ１には５桁が記憶されている。
【００１８】
μＣＯＭ６は、周知のように、予め定めたプログラムに従って各種の処理や制御などを行う中央演算処理装置（ＣＰＵ）６Ａと、ＣＰＵ６Ａのためのプログラム等を格納した読み出し専用のメモリであるＲＯＭ６Ｂと、各種のデータを格納するとともにＣＰＵ６Ａの処理作業に必要なエリアを有する読み出し書き込み自在のメモリであるＲＡＭ６Ｃと、を有している。
【００１９】
上記ＣＰＵ６Ａは、出荷前に通信部４を介して器差補正電文を受信すると後述する流量演算処理で用いられるゼロ点補正値や流量補正値を設定して、ＥＥＰＲＯＭ５内に記憶させる器差補正を行い、その後、通信部４を介して電子封印電文を受信すると器差補正で設定したゼロ点補正値や流量補正値の書き換えを禁止するように電子封印フラグをオンして電子封印する。上記器差補正は、試験配管に基準流量を流したときに電子式ガスメータ１が基準流量を演算できるようにゼロ点補正値や流量補正値などを調整する作業を言う。また、上記電子封印は、検定、検査に合格した電子式ガスメータ１のみに実行される。
【００２０】
ＣＰＵ６Ａは、出荷後は流量演算手段として働き、流速センサ２からの検出結果に基づいてガス流量の演算を行い、演算したガス流量を積算して、表示器３に表示する流量演算処理を行う。この流量演算処理においてＣＰＵ６Ａは、ＥＥＰＲＯＭ５に記憶された補正値を用いてガス流量の補正を行う。
【００２１】
また、ＣＰＵ６Ａは、電子封印前で電子封印フラグがオフしている場合は、図２（Ａ）に示すように、小数点３４及び法定計量単位３５と、小数点３６及び法定計量単位３７と、の双方を表示させ、電子封印後で電子封印フラグがオンしている場合は、図２（Ｂ）及び（Ｃ）に示すように、小数点３４及び法定計量単位３５と、小数点３６及び法定計量単位３７と、のうちＥＥＰＲＯＭ５に記憶された積算流量の表示桁数に対応する位置に表示された１つのみを残し、その他を消す。
【００２２】
次に、上記概略で説明した電子式ガスメータ１の詳細な動作について図３のフローチャートを参照して説明する。電源供給を開始すると、ＣＰＵ６Ａは、電子封印フラグがオンしているか否か判定する（ステップＳ１）。電子封印フラグがオフしていれば（ステップＳ１でＮ）、ＣＰＵ６Ａは、電子封印前であると判断して、図２（Ａ）に示すように、数字セグメント３１〜３３を全て「０」と表示すると共に小数点３４及び法定計量単位３５と、小数点３６及び法定計量単位３７と、の双方を表示する（ステップＳ２）。
【００２３】
その後、ＣＰＵ６Ａは、通信部４から器差補正電文を受信すると（ステップＳ３でＹ）、上述した器差補正を行う（ステップＳ４）。次に、通信部４から電子封印電文を受信すると（ステップＳ５でＹ）、ＣＰＵ６Ａは、電子封印手段として働き、電子封印フラグをオンして電子封印を行い（ステップＳ６）、ＥＥＰＲＯＭ５に記憶された積算流量の表示桁数を判別する（ステップＳ７）。
【００２４】
そして、ＣＰＵ６Ａは、表示桁数が４桁であれば（ステップＳ７で４桁）、家庭用の電子式ガスメータ１であると判定して図２（Ｂ）に示すように４桁に対応する位置に表示された小数点３４及び法定計量単位３５を残して、５桁に対応する位置に表示された小数点３６及び法定計量単位３７を消して（ステップＳ８）、処理を終了する。
【００２５】
これに対して、ＣＰＵ６Ａは、表示桁数が５桁であれば（ステップＳ７で５桁）、業務用の電子式ガスメータ１であると判定して図２（Ｃ）に示すように５桁に対応する位置に表示された小数点３６及び法定計量単位３５を残して、４桁に対応する位置に表示された小数点３４及び法定計量単位３７を消して（ステップＳ９）、処理を終了する。
【００２６】
一方、電源供給後、ＣＰＵ６Ａは、電子封印フラグがオンしてれば（ステップＳ１でＹ）、電子封印後であると判断して、上述したステップＳ７に直ちに進む。以上のことから明らかなように、ステップＳ２、ステップＳ７〜Ｓ９でＣＰＵ６Ａは請求項中の表示制御手段として働き。
【００２７】
上述した実施形態によれば、ＣＰＵ６Ａが、電子封印前に表示器３に複数（２つ）の法定計量単位３５及び３７を表示させ、電子封印後に表示器３に表示された複数の法定計量単位３５及び３７のうち１つのみを残し、その他を消しているので、封印前は複数の法定計量単位が表示されているため、直感的に電子封印されていないことが一目で判断できる。
【００２８】
また、上述した実施形態によれば、ＣＰＵ６Ａが、電子封印後に表示器３に表示された複数の法定計量単位３５及び３７のうちＥＥＰＲＯＭ５に記憶された積算流量の表示桁数に対応する位置に表示された１つのみを残し、その他を消しているので、表示桁を変更できるガスメータを流用して、直感的に電子封印されていないことが一目で判断できる。
【００２９】
なお、上述した実施形態によれば、２つの法定計量単位３５及び３７のうち何れかを一方を請求項中の封印がされていないことを示す印としていたが、本発明はこれに限ったものではない。例えば「封印前」など表示していると明らかに違和感を演出できる印を封印前に表示させ、封印後に消灯させるようにしてもよい。
【００３０】
また、上述した実施形態によれば、ＥＥＰＲＯＭ５に積算流量の表示桁数そのものを記憶させていたが、本発明はこれに限ったものではない。例えば、業務用か家庭用かを示す情報など表示桁数が判別できる情報であればよい。
【００３１】
また、上述した実施形態によれば、４桁目の位置に法定計量単位３５を５桁目の位置に法定計量単位３７を表示させて、電子式ガスメータ１を業務用と家庭用とで兼用させていたが、本発明はこれに限ったものではない。兼用はできないが、法定計量単位は複数表示できるようにすればよく、例えば家庭専用の電子式ガスメータ１であれば４桁目の位置に複数の法定計量単位を表示させ、電子封印後に１つのみを残して、他を消灯させることも考えられる。
【００３２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  電子式ガスメータ
３  表示器（表示手段）
５  ＥＥＰＲＯＭ（記憶手段）
６Ａ  ＣＰＵ（電子封印手段、表示制御手段）
３５  法定計量単位（印）
３７  法定計量単位（印）
【図１】
2014074677.tif 000003
【図２】
2014074677.tif 000004
【図３】
2014074677.tif 000005